(57)【要約】【課題】ユーザがコンテンツを選択することを不要とする。番組の進行に沿った形で、コンテンツを提供する。【解決手段】番組の複数のシーンに連動して連動番号が付けられた複数のコンテンツを記憶するコンテンツ記憶装置７０、コンテンツを再生する位置情報と前記コンテンツが再生されたか否かを示す情報と含んだ番組連動位置情報を記憶する番組連動位置情報記憶装置８０、複数のコンテンツ及び番組連動位置情報を配信する配信サーバ５０、を有する番組連動型コンテンツ提供装置１００と、配信サーバから番組連動位置情報及びコンテンツを取得して再生する携帯端末３０とを有する。【選択図】図１
2007266941.tif 000002
【特許請求の範囲】
【請求項１】
番組の複数のシーンに連動して連動番号が付けられた複数のコンテンツを記憶するコンテンツ記憶装置と、
前記コンテンツを再生する位置情報と前記コンテンツが再生されたか否かを示す情報と含んだ番組連動位置情報を記憶する番組連動位置情報記憶装置と、
前記複数のコンテンツ及び前記番組連動位置情報を配信する配信サーバと、
を有することを特徴とする番組連動型コンテンツ提供装置。
【請求項２】
請求項１に記載の番組連動型コンテンツ提供装置と、前記配信サーバからネットワークを通じて前記番組連動位置情報及びコンテンツを取得して再生する携帯端末とを有することを特徴とする番組連動型コンテンツ提供システム。
【請求項３】
請求項２に記載の番組連動型コンテンツ提供システムにおいて、前記携帯端末は位置情報取得手段を備え、前記配信サーバから取得した前記番組連動位置情報に含まれた、前記コンテンツを再生する位置情報と、前記位置情報取得手段により取得された、前記携帯端末の現在位置とが一致したときに、前記配信サーバから前記コンテンツを取得することを特徴とする番組連動型コンテンツ提供システム。
【請求項４】
請求項２又は３に記載の番組連動型コンテンツ提供システムにおいて、前記番組連動型コンテンツ提供装置は、前記携帯端末の端末識別情報と、前記携帯端末が取得したコンテンツの番組ID及び連動番号とを含むユーザ情報を記憶するユーザ情報記憶装置をさらに有することを特徴とする番組連動型コンテンツ提供システム。
【請求項５】
請求項２又は請求項３に記載の番組連動型コンテンツ提供システムに用いられる携帯端末。
【請求項６】
請求項４に記載の番組連動型コンテンツ提供システムに用いられる番組連動型コンテンツ提供装置。
【請求項７】
番組の複数のシーンに連動して連動番号が付けられた複数のコンテンツを記憶するコンテンツ記憶装置と、前記コンテンツを再生する位置情報と前記コンテンツが再生されたか否かを示す情報とを含んだ番組連動位置情報を記憶する番組連動位置情報記憶装置と、前記複数のコンテンツ及び前記番組連動位置情報を配信する配信サーバとを有する番組連動型コンテンツ提供装置と、前記配信サーバから前記番組連動位置情報及びコンテンツを取得して再生する携帯端末とを有する番組連動型コンテンツ提供システムの番組連動型コンテンツ提供方法において、
前記番組連動型コンテンツ提供装置で、前記コンテンツ記憶装置に、前記複数のコンテンツを記憶し、前記番組連動位置情報記憶装置に、前記番組連動位置情報を記憶し、前記携帯端末からの要求に応じて、配信サーバより前記番組連動位置情報を配信し、
前記携帯端末で、前記配信サーバから取得した前記番組連動位置情報に含まれた、前記コンテンツを再生する位置情報と、前記携帯端末の携帯端末の現在位置とが一致したときに、前記配信サーバから前記コンテンツを取得する番組連動型コンテンツ提供方法。
【請求項８】
請求項７に記載の番組連動型コンテンツ提供方法において、前記番組連動型コンテンツ提供装置で、前記携帯端末の端末識別情報と、前記携帯端末が取得したコンテンツの番組ID及び連動番号を含むユーザ情報をユーザ情報記憶装置に記憶することを特徴とする番組連動型コンテンツ提供方法。
【請求項９】
番組の複数のシーンに連動して連動番号が付けられた複数のコンテンツを記憶するコンテンツ記憶装置と、前記コンテンツを再生する位置情報と前記コンテンツが再生されたか否かを示す情報とを含んだ番組連動位置情報を記憶する番組連動位置情報記憶装置と、携帯端末からの要求に応じて前記複数のコンテンツ又は前記番組連動位置情報を配信する配信サーバとして、コンピュータを機能させるためのプログラム。
【請求項１０】
請求項１に記載の番組連動型コンテンツ提供装置の前記配信サーバから前記番組連動位置情報及びコンテンツを取得して再生する携帯端末として、コンピュータを機能させるためのプログラムであって、
前記配信サーバから前記番組連動位置情報を取得し、
前記携帯端末の現在位置を位置情報取得手段により取得し、
前記番組連動位置情報に含まれた、前記コンテンツを再生する位置情報と、前記携帯端末の現在位置とが一致したときに、前記配信サーバから前記コンテンツを取得する動作を前記コンピュータに実行させるプログラム。
【発明の詳細な説明】
【技術分野】
【０００１】
本発明は、番組連動型コンテンツ提供装置、番組連動型コンテンツ提供システム、携帯端末、番組連動型コンテンツ提供方法及びプログラムに係わり、特に番組の複数のシーンに連動して連動番号が付けられた複数のコンテンツを提供する番組連動型コンテンツ提供装置、番組連動型コンテンツ提供システム、携帯端末、番組連動型コンテンツ提供方法及びプログラムに関する。
【背景技術】
【０００２】
番組に連動してインターネットでコンテンツの提供を行う場合、従来は、ユーザにコンテンツを選択してもらうことしかできず、例えば「ドラマの進行に沿って撮影場所の紹介コンテンツを提供する」といったように、番組の進行に連動させたコンテンツ提供を行うことができなかった。
【発明の開示】
【発明が解決しようとする課題】
【０００３】
従来、番組に関連するコンテンツを提供する場合は、例えば番組のホームページで関連コンテンツの一覧を示し、ユーザがホームページにアクセスして、一覧の中から所望のコンテンツを選択して再生するようになっていた。この場合、ユーザが自分でコンテンツを選択しなければならず、手間がかかるという課題がある。
【０００４】
また、携帯端末の位置に応じて情報を提供するシステムも知られているが、これは単純に端末の位置に応答して情報を提供するだけである。よって、例えば「ドラマの進行に沿って撮影場所の紹介コンテンツを提供する」といったように、番組の進行に連動させたコンテンツ提供を行うことができないという課題がある。
【課題を解決するための手段】
【０００５】
本発明の番組連動型コンテンツ提供装置は、番組の複数のシーンに連動して連動番号が付けられた複数のコンテンツを記憶するコンテンツ記憶装置と、
前記コンテンツを再生する位置情報と前記コンテンツが再生されたか否かを示す情報と含んだ番組連動位置情報を記憶する番組連動位置情報記憶装置と、
前記複数のコンテンツ及び前記番組連動位置情報を配信する配信サーバと、
を有することを特徴とするものである。
【０００６】
本発明の番組連動型コンテンツ提供システムは、上記本発明の番組連動型コンテンツ提供装置と、前記配信サーバから前記番組連動位置情報及びコンテンツを取得して再生する携帯端末とを有することを特徴とする。
【０００７】
本発明の番組連動型コンテンツ提供方法は、番組の複数のシーンに連動して連動番号が付けられた複数のコンテンツを記憶するコンテンツ記憶装置と、前記コンテンツを再生する位置情報と前記コンテンツが再生されたか否かを示す情報とを含んだ番組連動位置情報を記憶する番組連動位置情報記憶装置と、前記複数のコンテンツ及び前記番組連動位置情報を配信する配信サーバとを有する番組連動型コンテンツ提供装置と、前記配信サーバから前記番組連動位置情報及びコンテンツを取得して再生する携帯端末とを有する番組連動型コンテンツ提供システムの番組連動型コンテンツ提供方法において、
前記番組連動型コンテンツ提供装置で、前記コンテンツ記憶装置に、前記複数のコンテンツを記憶し、
前記番組連動位置情報記憶装置に、前記番組連動位置情報を記憶し、
前記携帯端末からの要求に応じて、配信サーバより前記番組連動位置情報を配信し、
前記携帯端末で、前記配信サーバから取得した前記番組連動位置情報に含まれた、前記コンテンツを再生する位置情報と、前記携帯端末の携帯端末の現在位置とが一致したときに、前記配信サーバから前記コンテンツを取得するものである。
【０００８】
本発明のプログラムは、番組の複数のシーンに連動して連動番号が付けられた複数のコンテンツを記憶するコンテンツ記憶装置と、前記コンテンツを再生する位置情報と前記コンテンツが再生されたか否かを示す情報とを含んだ番組連動位置情報を記憶する番組連動位置情報記憶装置と、携帯端末からの要求に応じて前記複数のコンテンツ又は前記番組連動位置情報を配信する配信サーバとして、コンピュータを機能させるためのプログラムである。
【０００９】
また本発明のプログラムは、本発明の番組連動型コンテンツ提供装置の前記配信サーバから前記番組連動位置情報及びコンテンツを取得して再生する携帯端末として、コンピュータを機能させるためのプログラムであって、
前記配信サーバから前記番組連動位置情報を取得し、
前記携帯端末の現在位置を位置情報取得手段により取得し、
前記番組連動位置情報に含まれた、前記コンテンツを再生する位置情報と、前記携帯端末の現在位置とが一致したときに、前記配信サーバから前記コンテンツを取得する動作を前記コンピュータに実行させるプログラムである。
【００１０】
本発明では、テレビやラジオ等の番組に関連するコンテンツを提供する際に、そのコンテンツを表示再生するのに適する場所を示す位置情報と連携させて、携帯端末にコンテンツ提供を行う。ここで、コンテンツとは番組のシーンに連動した画像・音声・テキスト等のデジタルコンテンツで、インターネット等のネットワークを介して提供するものをいう。
【発明の効果】
【００１１】
本発明によれば、番組に関連したコンテンツをユーザに提供する場合、ユーザが所定の番組に関連したコンテンツを、いちいち選択することが不要となる。また、コンテンツの制作側も、番組の進行に沿った形で、コンテンツをユーザに提供することができる。
【００１２】
また、所定の位置に応じてコンテンツを提供できるため、番組に連動したコンテンツの提供について、番組との連携をより高めることができる。
【発明を実施するための最良の形態】
【００１３】
以下、本発明の実施の形態について図面を用いて詳細に説明する。
【００１４】
図１は、本発明の番組連動型コンテンツ提供システムの一実施形態のブロック図である。放送装置１０はテレビ局やラジオ局に設置されている放送装置で、電波で番組を放送するものである。放送受信機２０は放送装置１０から放送されている番組を受信して再生するものである。
【００１５】
携帯端末３０は、放送受信機２０で番組を閲覧するユーザが使用する端末で、ネットワーク（例えばインターネット）４０を介して番組の関連情報を受信し、再生するものである。携帯端末３０としては、現在知られているPDAや携帯電話を利用することができ、放送受信機２０は、携帯端末３０に内蔵されていてもよい。
【００１６】
コンテンツ提供装置１００は、ネットワーク４０に接続された情報配信サーバ５０と、後述するユーザ情報を格納するユーザ情報記憶装置６０と、番組に連動したコンテンツである配信コンテンツを格納する配信コンテンツ記憶装置７０と、配信コンテンツを提供する位置情報を示す番組連動位置情報を格納する番組連動位置情報記憶装置８０とを有する。
【００１７】
図２は、携帯端末３０のブロック図である。携帯端末３０は、ネットワーク４０と接続して通信処理を行う通信制御部１０１と、各部の動作制御を行う処理部１０２と、GPS等の端末の現在位置を取得する位置情報取得部１０３と、通信動作等端末の各種制御プログラムや配信コンテンツ、及び当該配信コンテンツの再生アプリケーション等を記憶する記憶部１０４と、テンキーやカーソルキーで構成された操作部１０５と、情報や配信コンテンツの表示を行う表示部１０６とから構成されている。
位置情報取得部１０３は、例えばGPS受信機で構成する。また通信時には、通信制御部から端末識別情報が送信されるようになっている。
【００１８】
図３は、放送装置１０から放送される放送番組と、配信コンテンツ記憶装置７０に格納された配信コンテンツと、番組連動位置情報記憶装置８０に格納された番組連動位置情報との関係を示す一例である。例えば、番組は旅番組で、ある駅に下車し（シーン（１））、路地を歩いて（シーン（２））、辿り着いた歴史スポットを紹介（シーン（３））するような流れだとする。
【００１９】
この場合、ユーザが番組を視聴後（或いは視聴中）に、携帯端末を携行して駅前に位置したとき、例えば目印となるお店の看板の画像を配信コンテンツ（１）とする。また、目的地へ向かう路地を歩いている間は、その雰囲気にあったBGMを配信コンテンツ（２）とする。さらに、目的地の歴史スポットでは、番組で紹介しきれなかった補足情報のテキストを配信コンテンツ（３）とする。なお、配信コンテンツ記憶装置７０において、一つの番組に対応する配信コンテンツ（１）〜（３）は、一つの番組IDが付されて管理される。
【００２０】
番組連動位置情報は、各配信コンテンツの再生開始位置（緯度・経度情報や地名情報など、携帯端末３０が取得できる位置情報と同じフォーマットのもの）である位置情報と、その場所にユーザが来訪したか否かを示す来訪済みフラグとから構成され、一つの番組IDが付されて管理される。（１）、（２）、（３）は、以降連動番号と呼ぶ。
【００２１】
図４は、ユーザ情報の一例である。ユーザ情報は、携帯端末３０を特定するための端末識別情報と、ユーザが要求した配信コンテンツの番組IDと、その配信コンテンツの連動番号と、連動番号に対応した来訪済みフラグとからなる（図では、来訪済を「済」、まだ来訪していないときは「未」とした）。
【００２２】
以下、本実施形態の動作について説明する。
【００２３】
図５に、携帯端末３０の動作のフローチャートを示す。この動作は、例えばJAVA（登録商標）等のアプリケーションによって実現する。
【００２４】
携帯端末３０は、まず情報配信サーバ内の番組ホームページにアクセスして所望の番組の番組連動位置情報を取得し、記憶部１０４に保存する（ステップS1）。このとき、コンテンツ提供装置１００のユーザ情報には、携帯端末３０の端末識別情報と、その携帯端末３０に提供する一連の配信コンテンツの番組IDとが書込まれる。
【００２５】
次に、連動番号順に案内するかどうか、ユーザに対する問合せを表示部１０６に表示する（ステップS2）。連動順に案内することが指定された場合、位置情報取得部１０３によって、携帯端末３０の現在位置情報が取得される（ステップS3）。そして、記憶部１０４に保存されている番組連動位置情報の来訪済みフラグを参照し、来訪済み以外で、一番若い連動番号の位置情報に向かって、方向や距離などのナビゲーション情報を表示部１０６に表示する（ステップS4）。ナビゲーション中は、現在位置が位置情報に一致するか否かを監視する（ステップS5）。
【００２６】
現在位置が位置情報に一致した場合、コンテンツ提供装置１００の情報配信サーバ５０に接続し、端末識別情報、番組ID及び連動番号を通知して配信コンテンツを要求する（ステップS6）。情報配信サーバ５０がこの要求に応答して配信コンテンツ記憶装置７０から配信コンテンツを取り出して送信すると、携帯端末３０はそれを受信して再生する（ステップS7）。このとき、情報配信サーバ５０は、ユーザ情報記憶装置６０に格納されたユーザ情報の対応する連動番号の来訪済みフラグを「済」に更新する。また、携帯端末３０においても、記憶部１０４に記憶した番組連動位置情報の来訪済みフラグを「済」に更新する（ステップS8）。さらに、番組連動位置情報記憶装置８０の番組連動位置情報の来訪済みフラグを「済」に更新する。
【００２７】
一方、ステップS2において連動順に案内しないと指定された場合は、現在位置に近い位置から案内するかどうか、ユーザに対する問合せを表示部１０６に表示する（ステップS9）。ここで案内しないことが選択された場合、アプリケーションは終了する。近い位置からの案内が選択された場合は、ステップS3と同様に現在位置が取得される（ステップS10）。そして、記憶部１０４に保存されている番組連動位置情報の来訪済みフラグを参照し、来訪済み以外で、現在位置に最も近い連動番号の位置情報に向かって、ナビゲーション情報を表示部１０６に表示する（ステップS11）。その後は連動番号順の案内時と同様である。
【００２８】
図６に、コンテンツ提供装置１００の動作のフローチャートを示す。
【００２９】
図６に示すように、放送装置１０から放送される放送番組に対応する配信コンテンツを配信コンテンツ記憶装置７０に記憶する（ステップＳ２１）。例えば図３の放送番組のシーン（１）〜（３）に対応する配信コンテンツ（１）〜（３）を配信コンテンツ記憶装置７０に記憶する。そして、番組連動位置情報を番組連動位置情報記憶装置８０に記憶する（ステップＳ２２）。
【００３０】
携帯端末３０から要求があった場合に、情報配信サーバ５０から番組連動位置情報を携帯端末３０に配信する（ステップＳ２３）。そして、携帯端末３０から要求があった場合に、情報配信サーバ５０からコンテンツを携帯端末３０に配信する（ステップＳ２４）。このとき、情報配信サーバ５０は、ユーザ情報記憶装置６０に格納されたユーザ情報の対応する連動番号の来訪済みフラグを「済」に更新する（ステップＳ２４）。
【００３１】
本実施形態のコンテンツ提供装置の機能はパーソナルコンピュータ（ＰＣ）上のプログラムとして実行することができる。例えば図７に示すように、ユーザ情報記憶装置６０、配信コンテンツ記憶装置７０、番組連動位置情報記憶装置８０の情報、及び図６に示すフローを示すプログラムをハードディスク等のディスク装置１０２に記憶させ、ＲＡＭ等のメモリ１０３にプログラムの実行に必要な情報を記憶させ、ＣＰＵ１０５によりプログラムが実行される。キーボード１０６により情報を入力する。ＬＣＤ（液晶ディスプレイ）１０４は記録情報、情報処理状況を表示する。１０７はデータバス等のバスを示す。１０１は携帯端末と通信を行う通信部である。図１の情報配信サーバ５０はＣＰＵ１０５、メモリ１０３、通信部１０１、ディスク装置１０２の一部が対応する。
【００３２】
また本実施形態の携帯端末の機能はコンピュータ上のプログラムとして実行することができる。例えば、携帯端末を図８に示すように、図５に示すフローを示すプログラムを記憶するＲＯＭ等のメモリ２０３、プログラムを実行するＣＰＵ２０５、プログラムの実行に必要な情報を記憶するＲＡＭ等のメモリ２０２、情報配信サーバと通信を行う通信部２０１、情報処理状況等を表示するＬＣＤ（液晶表示部）２０４、データを入力するためのキー操作部２０６で構成することができる。
【００３３】
本実施形態では、番組に関連したコンテンツをユーザに提供する場合、ユーザが所定の番組に関連したコンテンツを、いちいち選択することが不要となる。また、コンテンツの制作側も、番組の進行に沿った形で、コンテンツをユーザに提供することができる。
【００３４】
また、所定の位置に応じてコンテンツを提供できるため、番組に連動したコンテンツの提供について、番組との連携をより高めることができる。
【００３５】
また、コンテンツ提供者は、ユーザ情報によってユーザが興味を持った番組とシーン（来訪した場所）を把握できるため、その統計を取ることでユーザの嗜好を判別することもできる。
【産業上の利用可能性】
【００３６】
本発明は、番組の複数のシーンに連動して連動番号が付けられた複数のコンテンツを提供する番組連動型コンテンツ提供装置、番組連動型コンテンツ提供システム、携帯端末に用いることができる。
【図面の簡単な説明】
【００３７】
【図１】本発明の番組連動型コンテンツ提供システムの一実施形態のブロック図である。
【図２】携帯端末３０のブロック図である。
【図３】放送装置から放送される放送番組と、配信コンテンツ記憶装置に格納された配信コンテンツと、番組連動位置情報記憶装置に格納された番組連動位置情報との関係を示す図である。
【図４】ユーザ情報の一例を示す図である。
【図５】携帯端末３０の動作のフローチャートである。
【図６】コンテンツ提供装置の動作を示すプローチャートである。
【図７】コンテンツ提供装置をＰＣで構成した場合のブロック図である。
【図８】携帯端末をコンピュータで構成した場合のブロック図である。
【符号の説明】
【００３８】
１０  放送装置
２０  放送受信機
３０  携帯端末
４０  ネットワーク
５０  情報配信サーバ
６０  ユーザ情報記憶装置
７０  配信コンテンツ記憶装置
８０  番組連動位置情報記憶装置
１００  コンテンツ提供装置
【図１】
2007266941.tif 000003
【図２】
2007266941.tif 000004
【図３】
2007266941.tif 000005
【図４】
2007266941.tif 000006
【図５】
2007266941.tif 000007
【図６】
2007266941.tif 000008
【図７】
2007266941.tif 000009
【図８】
2007266941.tif 000010